(57)【要約】【課題】意匠性を向上させるとともに、棟側の端部で排気路や水返し材等を設けるためのスペースを形成することができる太陽光発電屋根及び架台を提供すること。【解決手段】太陽光発電屋根１は、下地材３に配置される太陽光パネル架台４と、太陽光パネル架台４上に固定される太陽光パネル５と、を備える。太陽光パネル架台４は、縦桟４１及び横桟４２を有する架台本体４０と、縦桟４１の棟側の上部に設けられ、棟側に延出する棟カバー取付部６２２と、架台本体４０の棟側の端部を覆うとともに、棟カバー取付部６２２に固定される棟カバー６２３と、を備え、棟カバー６２３は、棟カバー取付部６２２の延出方向で取付位置を調整可能に構成される。【選択図】図５
2017115353.tif 000002
【特許請求の範囲】
【請求項１】
太陽光発電屋根であって、
下地材に配置される架台と、
前記架台上に固定される太陽光パネルと、を備え、
前記架台は、縦桟及び横桟を有する架台本体と、
前記縦桟の棟側の上部に設けられ、棟側に延出する棟カバー取付部と、
前記架台本体の棟側の端部を覆うとともに、前記棟カバー取付部に固定される棟カバーと、
を備え、
前記棟カバーは、前記棟カバー取付部の延出方向で取付位置を調整可能に構成される太陽光発電屋根。
【請求項２】
前記棟カバー及び前記棟カバー取付部の一方には、前記棟カバー取付部の延出方向に並列配置される複数の位置決め部が設けられ、
前記棟カバー及び前記棟カバー取付部の他方には、複数の前記位置決め部の何れかに係合する係合部が設けられる請求項１に記載の太陽光発電屋根。
【請求項３】
前記太陽光パネルと前記棟カバー取付部の間に配置される隙間調整材を更に備え、
前記隙間調整材における前記棟カバー取付部の延出方向の幅が、前記棟カバーの調整範囲以下の長さに設定される請求項１又は２に記載の太陽光発電屋根。
【請求項４】
太陽光発電屋根であって、
下地材に配置される架台と、
前記架台上に固定される太陽光パネルと、を備え、
前記架台は、縦桟及び横桟を有する架台本体と、
前記縦桟の軒側の端部よりも軒側に延出する軒カバー取付部と、
前記架台本体の軒側の端部を覆うとともに、前記軒カバー取付部に固定される軒カバーと、
を備え、
前記軒カバーは、前記軒カバー取付部の延出方向で取付位置を調整可能に構成される太陽光発電屋根。
【請求項５】
前記軒カバー及び前記軒カバー取付部の一方には、前記軒カバー取付部の延出方向に並列配置される複数の位置決め部が設けられ、
前記軒カバー及び前記軒カバー取付部の他方には、複数の前記位置決め部の何れかに係合する係合部が設けられる請求項４に記載の太陽光発電屋根。
【請求項６】
前記太陽光パネルと前記軒カバー取付部の間に配置される隙間調整材を更に備え、
前記隙間調整材における前記軒カバー取付部の延出方向の幅が、前記軒カバーの調整範囲以下の長さに設定される請求項４又は５に記載の太陽光発電屋根。
【請求項７】
太陽光パネルを備える太陽光発電屋根において、下地材に配置されるとともに、前記太陽光パネルを固定する架台であって、
前記架台は、縦桟及び横桟を有する架台本体と、
前記縦桟の棟側の上部に設けられ、棟側に延出する棟カバー取付部と、
前記架台本体の棟側の端部を覆うとともに、前記棟カバー取付部に固定される棟カバーと、
を備え、
前記棟カバーは、前記棟カバー取付部の延出方向で取付位置を調整可能に構成される架台。
【発明の詳細な説明】
【技術分野】
【０００１】
本発明は、太陽光パネルが設けられる太陽光発電屋根及び架台に関する。
【背景技術】
【０００２】
従来から、建物の屋根と太陽光パネルとが一体に形成された太陽光発電屋根が知られている。この種の技術を開示するものとして例えば特許文献１がある。特許文献１には、太陽エネルギー利用装置の設置構造として、複数配列した太陽エネルギー利用装置（太陽光パネル）の周囲に配設される周囲枠と、周囲枠と太陽エネルギー利用装置の間の隙間を塞ぐための隙間調整材と、を有し、隙間調整材の固定位置が調整できる構成が開示されている。
【先行技術文献】
【特許文献】
【０００３】
【特許文献１】特開２０１５−６８０８０号公報
【発明の概要】
【発明が解決しようとする課題】
【０００４】
ところで、通気性を向上させるために軒側から棟側にかけて排気路を形成したり、水返し材を配置したりする場合がある。この点、特許文献１に開示される構成は、隙間調整材により、太陽光パネルと周囲枠の間の隙間を埋めることができるものの、軒から棟にかけて縦桟が設けられているため、棟側で排気路を形成したり、水返し材を配置したりするためのスペースを棟側の端部に形成することが難しかった。
【０００５】
本発明は、意匠性を向上させるとともに、棟側の端部で排気路や水返し材等を設けるためのスペースを形成することができる太陽光発電屋根及び架台を提供することを目的とする。
【課題を解決するための手段】
【０００６】
本発明は、太陽光発電屋根（例えば、後述の太陽光発電屋根１）であって、下地材（例えば、後述の下地材３）に配置される架台（例えば、後述の太陽光パネル架台４）と、前記架台上に固定される太陽光パネル（例えば、後述の太陽光パネル５）と、を備え、前記架台は、縦桟（例えば、後述の縦桟４１）及び横桟（例えば、後述の横桟４２）を有する架台本体（例えば、後述の架台本体４０）と、前記縦桟の棟側の上部に設けられ、棟側に延出する棟カバー取付部（例えば、後述の棟カバー取付部６２２）と、前記架台本体の棟側の端部を覆うとともに、前記棟カバー取付部に固定される棟カバー（例えば、後述の棟カバー６２３）と、を備え、前記棟カバーは、前記棟カバー取付部の延出方向で取付位置を調整可能に構成される太陽光発電屋根に関する。
【０００７】
前記棟カバー及び前記棟カバー取付部の一方には、前記棟カバー取付部の延出方向に並列配置される複数の位置決め部（例えば、後述の棟カバー側係合部６２５ａ，ｂ，ｃ）が設けられ、前記棟カバー及び前記棟カバー取付部の他方には、複数の前記位置決め部の何れかに係合する係合部（例えば、後述の取付部側係合部６２２ｃ）が設けられることが好ましい。
【０００８】
前記太陽光パネルと前記棟カバー取付部の間に配置される隙間調整材（例えば、後述の隙間調整材７２４）を更に備え、前記隙間調整材における前記棟カバー取付部の延出方向の幅が、前記棟カバーの調整範囲以下の長さに設定されることが好ましい。
【０００９】
また、本発明は、太陽光発電屋根（例えば、後述の太陽光発電屋根１）であって、下地材（例えば、後述の下地材３）に配置される架台（例えば、後述の太陽光パネル架台４）と、前記架台上に固定される太陽光パネル（例えば、後述の太陽光パネル５）と、を備え、前記架台は、縦桟（例えば、後述の縦桟４１）及び横桟（例えば、後述の横桟４２）を有する架台本体（例えば、後述の架台本体４０）と、前記縦桟の軒側の端部よりも軒側に延出する軒カバー取付部（例えば、後述の軒カバー取付部６１０）と、前記架台本体の軒側の端部を覆うとともに、前記軒カバー取付部に固定される軒カバー（例えば、後述の軒カバー６１１）と、を備え、前記軒カバーは、前記軒カバー取付部の延出方向で取付位置を調整可能に構成される太陽光発電屋根に関する。
【００１０】
前記軒カバー及び前記軒カバー取付部の一方には、前記軒カバー取付部の延出方向に並列配置される複数の位置決め部（例えば、後述の取付部側係合部６１５ａ，ｂ，ｃ）が設けられ、前記軒カバー及び前記軒カバー取付部の他方には、複数の前記位置決め部の何れかに係合する係合部（例えば、後述のカバー側係合部６１１ａ）が設けられることが好ましい。
【００１１】
前記太陽光パネルと前記軒カバー取付部の間に配置される隙間調整材を更に備え、前記隙間調整材における前記軒カバー取付部の延出方向の幅が、前記軒カバーの調整範囲以下の長さに設定されることが好ましい。
【００１２】
また、本発明は、太陽光パネル（例えば、後述の太陽光パネル５）を備える太陽光発電屋根（例えば、後述の太陽光発電屋根１）において、下地材（例えば、後述の下地材３）に配置されるとともに、前記太陽光パネルを固定する架台（例えば、後述の太陽光パネル架台４）であって、前記架台は、縦桟（例えば、後述の縦桟４１）及び横桟（例えば、後述の横桟４２）を有する架台本体（例えば、後述の架台本体４０）と、前記縦桟の棟側の上部に設けられ、棟側に延出する棟カバー取付部（例えば、後述の棟カバー取付部６２２）と、前記架台本体の棟側の端部を覆うとともに、前記棟カバー取付部に固定される棟カバー（例えば、後述の棟カバー６２３）と、を備え、前記棟カバーは、前記棟カバー取付部の延出方向で取付位置を調整可能に構成される架台に関する。
【発明の効果】
【００１３】
本発明によれば、意匠性を向上させるとともに、棟側の端部で排気路や水返し材等を設けるためのスペースを形成することができる太陽光発電屋根及び架台を提供できる。
【図面の簡単な説明】
【００１４】
【図１】本発明の第１実施形態に係る太陽光発電屋根を示す斜視図である。
【図２】上記実施形態に係る太陽光発電屋根の縦断面図である。
【図３】上記実施形態に係る太陽光発電屋根の隅部の横断面図である。
【図４】上記実施形態に係る太陽光発電屋根の隅部を示す拡大平面図である。
【図５】上記実施形態に係る太陽光発電屋根の棟側枠材の拡大縦断面図である。
【図６】上記実施形態に係る棟カバーの取付位置の調整機能を説明する図である。
【図７】上記実施形態に係る太陽光発電屋根の軒側枠材の拡大縦断面図である。
【図８】上記実施形態に係る軒カバーの取付位置の調整機能を説明する図である。
【図９】第２実施形態に係る太陽光発電屋根の棟側枠材の拡大縦断面図である。
【図１０】第３実施形態に係る太陽光発電屋根の棟側枠材の拡大縦断面図である。
【図１１】第４実施形態に係る太陽光発電屋根の軒側枠材の拡大縦断面図である。
【図１２】第５実施形態に係る太陽光発電屋根の軒側枠材の拡大縦断面図である。
【図１３】第６実施形態に係る太陽光発電屋根の棟包みの断面図である。
【発明を実施するための形態】
【００１５】
以下、本発明の実施形態について図面を参照しながら詳細に説明する。
【００１６】
図１は、本発明の第１実施形態に係る太陽光発電屋根１を示す斜視図である。図１に示すように、太陽光発電屋根１は、建物の屋根面に配置されており、該屋根面の略全面が太陽光パネルと一体となっており、統一感のある高い意匠性が実現されている。また、本実施形態の屋根面は、棟から片側に傾斜する片流れ式になっている。
【００１７】
図２は、上記実施形態に係る太陽光発電屋根１の縦断面図である。図３は、上記実施形態に係る太陽光発電屋根１の隅部の横断面図である。図４は、上記実施形態に係る太陽光発電屋根１の隅部を示す拡大平面図である。
【００１８】
図２に示すように、太陽光発電屋根１は、下地材３と、太陽光パネル架台４と、太陽光パネル５と、を備える。下地材３は、屋根面に配置され、太陽光発電屋根１の土台部分を構成する。下地材３により、太陽光パネル架台４が固定支持され、該太陽光パネル架台４に太陽光パネル５が配置される。
【００１９】
図３に示すように、下地材３は、野地板３１と、防水シート３２と、鋼板３３と、を備える。野地板３１は、建物２の屋根の骨組みである垂木３０の上に張られて配置される。この野地板３１は、太陽光発電屋根１の全面に配置される。野地板３１としては、合板等の板材が用いられる。
【００２０】
防水シート３２は、上述の野地板３１上に配置される。この防水シート３２により、太陽光発電屋根１の防水性が高められる。防水シート３２としては、板紙にアスファルトを含浸させたアスファルトルーフィング等の防水材料が用いられる。
【００２１】
鋼板３３は、上述の防水シート３２上に配置される。この鋼板３３により、太陽光発電屋根１の防火性、防水性及び強度が高められる。鋼板３３としては、従来公知の防火鋼板等が用いられる。
【００２２】
太陽光パネル架台４は、棟から軒に亘って配置される。本実施形態の太陽光パネル架台４は、架台本体４０と、化粧材６と、水返し材９と、を備える。
【００２３】
架台本体４０は、下地材３上にビス止めされて固定され、太陽光パネル５を固定支持する。架台本体４０は、格子状に枠組みされた複数の縦桟４１と、複数の横桟４２と、を備える。
【００２４】
縦桟４１は、屋根面の傾斜方向に延びて、棟から軒先に亘って通しで設けられる。縦桟４１は、屋根面の傾斜方向に沿うようにして一定間隔で複数配置されて下地材３にビス止めされる。また、図１に示すように、縦桟４１は、後述の隣接する太陽光パネル５の縦辺部の継ぎ目５１の直下に配置される。
【００２５】
横桟４２は、屋根面の傾斜方向に直交する方向に延びて設けられ、縦桟４１上にビス止めされる。横桟４２は、後述の隣接する太陽光パネル５の横辺部の横連結部５２の直下に配置される。また、横桟４２は、隣接する縦桟４１同士を橋渡しするように複数設けられる。即ち、横桟４２は、両ケラバ側端部間に亘って通しで設けられてはいない。
【００２６】
なお、架台本体４０を構成する縦桟４１と横桟４２は、それぞれ種々の排水構造を備える。
【００２７】
太陽光パネル５は、モジュール部品であり、複数枚が太陽光発電屋根１の屋根面の傾斜方向及び該傾斜方向と直交する方向に並列配置される。
【００２８】
太陽光パネル５は、下地材３から離隔した状態で太陽光パネル架台４（架台本体４０）上に固定支持される。太陽光パネル５と下地材３との間には、架台本体４０によって通気路７が形成される。
【００２９】
図１に示すように、太陽光パネル５の周縁部のうち、屋根面の傾斜方向に沿う縦辺部は、隣接する太陽光パネル５の縦辺部との間に、縦方向に延びる継ぎ目５１を形成する。また、太陽光パネル５の周縁部のうち、屋根面の傾斜方向に直交する方向に沿う横辺部は、上述の架台本体４０を構成する横桟４２を間に挟んで、隣接する太陽光パネル５の横辺部に連結されることで、横連結部５２を形成する。横連結部５２は、上述したように、架台本体４０を構成する横桟４２の直上に配置される。
【００３０】
また、本実施形態の化粧材６は、軒側枠材６１と、一対のケラバ側枠材６３，６３と、棟側枠材６２と、を備える。これら軒側枠材６１、一対のケラバ側枠材６３，６３及び棟側枠材６２は、架台本体４０（太陽光パネル５）の周囲を囲繞する周囲枠を構成する。周囲枠を構成する各部材について説明する。
【００３１】
軒側枠材６１は、太陽光発電屋根１の軒先に配置される。軒側枠材６１は、太陽光発電屋根１の屋根面の傾斜方向に直交する方向に延びてその軒先を覆うことで、軒先を保護する。これにより、軒先の意匠性が高められている。なお、軒側枠材６１の構成については後述する。
【００３２】
また、図２及び図３に示すように、太陽光発電屋根１は、ケラバ側破風板６４と、軒側破風板６５と、軒樋６６と、棟側破風板６７と、を備える。なお、図１ではこれらケラバ側破風板６４、軒側破風板６５及び軒樋６６の記載は省略している。
【００３３】
ケラバ側破風板６４は、破風下地６４１を介してケラバ側の端部から垂下して設けられる。軒側破風板６５は、破風下地６５１を介して軒先から垂下して設けられ、棟側破風板６７は、破風下地６７１を介して軒先から垂下して設けられる。軒樋６６は、軒側破風板６５の外面に取り付けられ、上述の架台本体４０の縦桟４１等により軒先から排出される雨水を排水する。
【００３４】
次に、ケラバ側枠材６３について説明する。図１に示すように、一対のケラバ側枠材６３，６３は、太陽光発電屋根１のケラバ側の端部に配置される。一対のケラバ側枠材６３，６３は、太陽光発電屋根１の屋根面の傾斜方向に延びて妻側の端部をそれぞれ覆うことで、妻側の端部を保護する。これにより、妻側の端部の意匠性が高められている。
【００３５】
図３に示すように、一対のケラバ側枠材６３，６３は、それぞれ第１ケラバ側枠材６３１と、第２ケラバ側枠材６３２を有する。
【００３６】
第１ケラバ側枠材６３１は、ケラバに沿って延設され、第２ケラバ側枠材６３２にビス止めされる。また、第１ケラバ側枠材６３１は、断面視で、妻側に向かって延びた後、下方に屈曲して延出する。
【００３７】
第２ケラバ側枠材６３２は、ケラバに沿って延設され、第１ケラバ側枠材６３１の下部に配置される。第２ケラバ側枠材６３２は、上述の架台本体４０を構成する縦桟４１にビス止めされる。第２ケラバ側枠材６３２（ケラバ側枠材６３）は、太陽光パネル５側の下部に形成され且つ屋根面の端部に配置される縦桟４１の少なくとも一部を収容可能な凹部６３２ａを有する。
【００３８】
図４に示すように、太陽光発電屋根１は、ケラバ側枠材６３の上面に取り付けられる隙間カバー６３３を更に有する。隙間カバー６３３は、ケラバ側枠材６３と太陽光パネル５との間に形成される隙間を塞ぐ。
【００３９】
棟化粧材としての棟側枠材６２は、太陽光発電屋根１の架台本体４０（縦桟４１）の棟側の端部を覆うように配置される。棟側枠材６２は、太陽光発電屋根１の屋根面の傾斜方向に直交する方向に延びてその棟部を覆うことで、棟部を保護する。これにより、棟部の意匠性が高められている。
【００４０】
次に、棟側枠材６２の構成について説明する。図５は、上記実施形態に係る太陽光発電屋根１の棟側枠材６２の拡大縦断面図である。図６は、上記実施形態に係る棟カバー６２３の取付位置の調整機能を説明する図である。
【００４１】
図５に示すように、本実施形態の棟側枠材６２は、棟アタッチメント６２１と、棟カバー取付部６２２と、棟カバー６２３と、棟端部カバー７０と、を備える。
【００４２】
棟アタッチメント６２１は、棟に沿って延設され、架台本体４０の縦桟４１にビス止めされる。棟アタッチメント６２１は、その上部の棟側にビス固定部６２１ａが形成される。ビス固定部６２１ａは、棟アタッチメント６２１の軒側の上面に対して凹むように形成されている。
【００４３】
棟カバー取付部６２２は、棟に沿って延設され、棟アタッチメント６２１にビス止めされる。本実施形態の棟カバー取付部６２２は、取付本体部６２２ａと、締結片６２２ｂと、取付部側係合部６２２ｃと、を備える。
【００４４】
取付本体部６２２ａは、その下部が棟側に近づくに従って屋根面から離れるように傾斜面６２２ｄを有し、その断面形状が傾斜方向における軒側の反対側に突出する略三角形状に形成される。
【００４５】
取付本体部６２２ａの傾斜面６２２ｄの下部には、傾斜方向における軒側と棟側の二手に分岐する延出部６２２ｅが形成される。延出部６２２ｅは、軒側に延びた後、上方に屈曲し、溝６２２ｆを形成する。この溝６２２ｆに溜まった水は縦桟４１に流れ込んで軒側に排水される。
【００４６】
締結片６２２ｂは、取付本体部６２２ａの軒側の上部から、傾斜方向の軒側に延び出るように形成される。締結片６２２ｂの下面がビス固定部６２１ａの上面に対面する状態でビスが締結されることにより、棟アタッチメント６２１と棟カバー取付部６２２が接続される。
【００４７】
取付部側係合部６２２ｃは、棟カバー取付部６２２の傾斜方向における棟側の端部に形成される。取付部側係合部６２２ｃは、後述の棟カバー側係合部６２５と傾斜方向で係合する凹状になっている。また、取付部側係合部６２２ｃの傾斜方向の軒側には棟に沿って延びる凹部６２２ｇが形成される。
【００４８】
棟カバー６２３は、棟に沿って延設され、棟カバー取付部６２２を介して架台本体４０に固定される。
【００４９】
本実施形態の棟カバー６２３は、カバー本体部６２３ａと、複数の棟カバー側係合部６２５ａ，ｂ，ｃと、を備える。
【００５０】
カバー本体部６２３ａは、断面視で、棟側に向かって屋根面の傾斜方向に沿って延びた後、下方に傾斜するように形成される。
【００５１】
棟カバー側係合部６２５ａ，ｂ，ｃは、棟カバー取付部６２２に対する棟カバー６２３の取付位置を調整するための部材である。棟カバー側係合部６２５ａ，ｂ，ｃは、傾斜方向の棟側から軒側に向かう方向で略等間隔に配置されている。
【００５２】
本実施形態では、棟カバー側係合部６２５ａは、カバー本体部６２３ａの内面における軒側を向く面から傾斜方向に突出するように形成される。図５に示す例では、軒側から最も離れた位置の棟カバー側係合部６２５ａが取付部側係合部６２２ｃに係合されている。
【００５３】
また、棟カバー側係合部６２５ｂ及び棟カバー側係合部６２５ｃは、その断面形状が、カバー本体部６２３ａの内面の上側から下側に突出した後、傾斜方向の軒側に屈曲する略Ｌ字状に形成されている。
【００５４】
棟カバー側係合部６２５ａ，ｂ，ｃの何れかを棟カバー取付部６２２の取付部側係合部６２２ｃに差し込むことにより、棟カバー６２３の位置が決まる。
【００５５】
図１に示すように、棟端部カバー７０は、棟の妻側の端部にそれぞれ設けられる。図４に示すように、棟端部カバー７０は、棟カバー６２３を覆うように棟カバー６２３の外形に沿って形成される。棟カバー６２３にビス止めされる。
【００５６】
ここで、図６を参照して棟カバー６２３の取付位置の調整機能について説明する。図６では、同じ構造の棟カバー取付部６２２において、棟カバー６２３の取付位置が異なる場合を示している。
【００５７】
図６（ａ）は、棟カバー側係合部６２５ａと取付部側係合部６２２ｃが係合している状態を示している。図６（ａ）に示す取付位置では、横桟４２から棟カバー６２３の端面までの長さＬ１が他の取付位置よりも相対的に短くなっている。また、棟端部カバー７０を締結するビス７５の先端部が凹部６２２ｇの内側に位置している。
【００５８】
図６（ｂ）は、棟カバー側係合部６２５ｂと取付部側係合部６２２ｃが係合している状態を示している。図６（ｂ）では、棟カバー側係合部６２５ａに対して軒側に位置する棟カバー側係合部６２５ｂに取付部側係合部６２２ｃが係合しているため、横桟４２から棟カバー６２３の端面までの長さＬ２がＬ１よりも長くなっている。また、棟端部カバー７０を締結するビス７５の先端部が取付部側係合部６２２ｃよりも傾斜方向の棟側に位置している。
【００５９】
図６（ｃ）は、棟カバー側係合部６２５ｃと取付部側係合部６２２ｃが係合している状態を示している。図６（ｃ）では、複数の棟カバー側係合部６２５ａ，ｂ，ｃのうち、最も軒側に位置する棟カバー側係合部６２５ｃに取付部側係合部６２２ｃが係合しているため、横桟４２から棟カバー６２３の端面までの長さＬ３が他の取付位置の長さＬ２及びＬ３よりも長くなっている。また、棟端部カバー７０を締結するビス７５の先端部が取付部側係合部６２２ｃよりも傾斜方向の棟側に位置している。
【００６０】
次に、水返し材９について説明する。水返し材９は、排気路８内における片流れ屋根の棟側の端部であって下地材３の上面に立設される。水返し材９は、排気路８を通気路７に連通する通気路側排気路８２と、排気口８１に連通する排気口側排気路８３と、これらを連通する連通路８４とに仕切る。即ち、本実施形態では、水返し材９と棟カバー６２３（棟側枠材６２）
【００６１】
本実施形態の水返し材９は、水返し本体部９１と、締結孔９２と、延出部９３と、を備える。
【００６２】
水返し本体部９１は、棟に沿って延設され、その断面形状がＬ字状に形成される。水返し本体部９１の底部が下地材３の上面に接した状態となる。
【００６３】
締結孔９２は、水返し本体部９１の底部に形成される。この締結孔９２を通じてビス９５によって水返し本体部９１が下地材３の上面側に固定される。本実施形態では、ビス９５の締結箇所が、水返し本体部９１における棟に沿う方向の複数個所に設定されている。
【００６４】
延出部９３は、水返し本体部９１の上端部から傾斜方向の両側にそれぞれ延出しており、断面形状が略Ｔ字状になっている。この延出部９３によって排気口８１を通じて外部から入った水が水返し本体部９１を乗り越えて棟側通気口７２側に侵入する事態が防止される。
【００６５】
ここで、太陽光パネル５と下地材３との間の通気路７について説明する。図２に示すように、通気路７は、軒側に開口する軒側通気口７１と、棟側に開口する棟側通気口７２と、を有する。更に、棟側枠材６２（棟カバー６２３）は、棟側通気口７２を介して通気路７に連通するとともに、棟を介して棟側通気口７２とは逆側に配置される排気口８１を有する排気路８を形成する。排気口８１は、棟側の下方に開口する。
【００６６】
例えば、軒側通気口７１から通気路７に流入した空気は、棟側通気口７２を通過する。通気路７を空気が流通することにより、太陽光パネル５が裏面側から冷却される。そして、棟側通気口７２を通過した空気は、排気路８を通過して排気口８１から排出される。排気口８１から排気路８に流入した空気は、逆方向に流通する。
【００６７】
次に、軒側枠材６１の構成について説明する。図７は、上記実施形態に係る太陽光発電屋根１の軒側枠材６１を示す拡大縦断面図である。図８は、上記実施形態に係る軒カバー６１１の取付位置の調整機能を説明する図である。
【００６８】
図７に示すように、本実施形態の軒側枠材６１は、軒カバー取付部６１０と、軒カバー６１１と、軒端部カバー８０と、を備える。
【００６９】
軒カバー取付部６１０は、軒に沿って延設され、架台本体４０の横桟４２にビス止めされる。本実施形態の軒カバー取付部６１０は、その上面に複数の取付部側係合部６１５ａ，ｂ，ｃが形成される。
【００７０】
複数の取付部側係合部６１５ａ，ｂ，ｃは、傾斜方向に並んでいる。本実施形態の取付部側係合部６１５ａ，ｂ，ｃは、棟側に近づくに従って深くなるように傾斜する凹状に形成される。
【００７１】
軒カバー６１１は、軒先に沿って延設され、軒カバー取付部６１０を介して架台本体４０に取り付けられる。軒カバー６１１は、断面視で、屋根面の傾斜方向に沿って延びた後、軒先に向かうに従い下方に傾斜して設けられる。
【００７２】
軒カバー６１１は、取付部側係合部６１５ａ，ｂ，ｃの何れかに係合するカバー側係合部６１１ａを備える。カバー側係合部６１１ａは、軒カバー６１１の棟側の端部に形成される。カバー側係合部６１１ａは、取付部側係合部６１５ａ，ｂ，ｃの形状に応じて形成されており、棟側に近づくに従って下がるように傾斜している。
【００７３】
取付部側係合部６１５ａ，ｂ，ｃの何れかにカバー側係合部６１１ａを差し込むことにより、軒カバー６１１の位置が決まる。
【００７４】
図１に示すように、軒端部カバー８０は、軒の妻側の端部にそれぞれ設けられる。軒端部カバー８０は、軒カバー６１１を覆うように軒カバー６１１の外形に沿って形成される。軒カバー６１１にビス止めされる。
【００７５】
ここで、図８を参照して軒カバー６１１の取付位置の調整機能について説明する。図８では、同じ構造の軒カバー取付部６１０において、軒カバー６１１の取付位置が異なる場合を示している。
【００７６】
図８（ａ）は、取付部側係合部６１５ａにカバー側係合部６１１ａが係合している状態を示している。図８（ａ）に示す取付位置では、横桟４２から軒カバー６１１の端部までの長さＬ４が他の取付位置よりも相対的に短くなっている。
【００７７】
図８（ｂ）取付部側係合部６１５ｂにカバー側係合部６１１ａが係合している状態を示している。図８（ｂ）に示す取付位置では、取付部側係合部６１５ａに対して軒側に位置する取付部側係合部６１５ｂにカバー側係合部６１１ａが係合しているため、横桟４２から軒カバー６１１の端部までの長さＬ５がＬ４よりも長くなっている。
【００７８】
図８（ｃ）は、取付部側係合部６１５ｃにカバー側係合部６１１ａが係合している状態を示している。図８（ｃ）に示す取付位置では、複数の取付部側係合部６１５ａ，ｂ，ｃのうち、最も軒側に位置する取付部側係合部６１５ｃにカバー側係合部６１１ａが係合しているため、横桟４２から軒カバー６１１の端部までの長さＬ６が他の取付位置の長さＬ４及びＬ５よりも長くなっている。
【００７９】
ところで、太陽光パネル５の大きさは、商品ごとの規格によって特定の大きさに定められており、屋根の大きさも個々の建物によって変わる。従って、太陽光パネル５と周囲枠の間の隙間の距離は適用される太陽光パネルの規格、設置数、レイアウト等や屋根の形状によって一定ではない。
【００８０】
この点、本実施形態によれば、棟カバー６２３及び軒カバー６１１のそれぞれの取付位置の調整が可能となっており、太陽光パネル５と周囲枠の間の隙間を現場で調整可能になっており、意匠性や通気路７の通気性を損なうことなく、周囲枠の間の隙間を埋めることができる。例えば、棟側で太陽光パネル５と周囲枠の間に隙間が生じる場合でも、複数の棟カバー側係合部６２５ａ，ｂ，ｃが棟カバー６２３に形成されていることにより、棟カバー６２３の取付位置を調整し、隙間を埋めることができる。同様に、軒側で太陽光パネル５と周囲枠の間に隙間が生じる場合でも、複数の取付部側係合部６１５ａ，ｂ，ｃが軒カバー取付部６１０に形成されていることにより、軒カバー６１１の取付位置を調整し、隙間を埋めるこいとができる。このように、本実施形態では、軒側及び棟側の両方で傾斜方向の隙間を調整できる。
【００８１】
次に、水返し材９について説明する。水返し材９は、排気路８内における片流れ屋根の棟側の端部であって下地材３の上面に立設される。水返し材９は、排気路８を通気路７に連通する通気路側排気路８２と、排気口８１に連通する排気口側排気路８３と、これらを連通する連通路８４とに仕切る。即ち、本実施形態では、水返し材９と棟カバー６２３（棟側枠材６２）
【００８２】
本実施形態の水返し材９は、水返し本体部９１と、締結孔９２と、延出部９３と、を備える。
【００８３】
水返し本体部９１は、棟に沿って延設され、その断面形状がＬ字状に形成される。水返し本体部９１の底部が下地材３の上面に接した状態となる。
【００８４】
締結孔９２は、水返し本体部９１の底部に形成される。この締結孔９２を通じてビス９５によって水返し本体部９１が下地材３の上面側に固定される。本実施形態では、ビス９５の締結箇所が、水返し本体部９１における棟に沿う方向の複数個所に設定されている。
【００８５】
延出部９３は、水返し本体部９１の上端部から傾斜方向の両側にそれぞれ延出しており、断面形状が略Ｔ字状になっている。この延出部９３によって排気口８１を通じて外部から入った水が水返し本体部９１を乗り越えて棟側通気口７２側に侵入する事態が防止される。
【００８６】
ここで、太陽光パネル５と下地材３との間の通気路７について説明する。図２に示すように、通気路７は、軒側に開口する軒側通気口７１と、棟側に開口する棟側通気口７２と、を有する。更に、棟側枠材６２（棟カバー６２３）は、棟側通気口７２を介して通気路７に連通するとともに、棟を介して棟側通気口７２とは逆側に配置される排気口８１を有する排気路８を形成する。排気口８１は、棟側の下方に開口する。
【００８７】
例えば、軒側通気口７１から通気路７に流入した空気は、棟側通気口７２を通過する。通気路７を空気が流通することにより、太陽光パネル５が裏面側から冷却される。そして、棟側通気口７２を通過した空気は、排気路８を通過して排気口８１から排出される。排気口８１から排気路８に流入した空気は、逆方向に流通する。
【００８８】
排気口側排気路８３は、空気の出入口となり、換気性能をより良好なものにする観点から建物の屋根形状に応じて調整することが好ましい。本実施形態では、排気口側排気路８３を形成する水返し材９及び棟カバー６２３の形状を変更するための加工を工場で行ったり、現場で加工したりすることなく、水返し材９の取付位置の調整によって排気口側排気路８３の幅を正確に設定できる。また、本実施形態のように棟カバー６２３の位置を調整できる構成であれば、棟カバー６２３の位置に応じて水返し材９を調整することもでき、現場の施行状況に応じて柔軟に対応することができる。
【００８９】
以上説明したように、第１実施形態に係る太陽光発電屋根１によれば、以下の効果が奏される。
即ち、第１実施形態の太陽光発電屋根１は、下地材３に配置される太陽光パネル架台４と、太陽光パネル架台４上に固定される太陽光パネル５と、を備える。太陽光パネル架台４は、縦桟４１及び横桟４２を有する架台本体４０と、縦桟４１の棟側の上部に設けられ、棟側に延出する棟カバー取付部６２２と、架台本体４０の棟側の端部を覆うとともに、棟カバー取付部６２２に固定される棟カバー６２３と、を備え、棟カバー６２３は、棟カバー取付部６２２の延出方向で取付位置を調整可能に構成される。
【００９０】
これにより、下地材３の寸法に応じて棟カバー６２３の取付位置を調整することができる。また、縦桟４１の棟側の上部に棟カバー取付部６２２が設けられるので、縦桟４１を棟側まで延出させなくても棟カバー６２３を棟側の端部で固定できる。これによって、縦桟４１よりも棟側に排気路８を形成したり、水返し材９を配置するためのスペースを形成することができ、本実施形態のように、通気性の向上及び水の侵入を防ぐための構造も実現できる。
【００９１】
棟カバー６２３には、棟カバー取付部６２２の延出方向に並列配置される複数の棟カバー側係合部６２５ａ，ｂ，ｃが設けられ、棟カバー取付部６２２には、複数の棟カバー側係合部６２５ａ，ｂ，ｃに係合する取付部側係合部６２２ｃが設けられる。これにより、棟カバー６２３の取付位置を調整する機能をシンプルな構成で実現することができる。
【００９２】
縦桟４１の軒側の端部よりも軒側に延出する軒カバー取付部６１０と、架台本体４０の軒側の端部を覆うとともに、軒カバー取付部６１０に固定される軒カバー６１１と、を更に備える。軒カバー６１１は、軒カバー取付部６１０の延出方向で取付位置を調整可能に構成される。
【００９３】
これにより、傾斜方向の軒側及び棟側の両方で太陽光パネル５と周囲枠の隙間を調整することができ、現場の建物の状況に応じてより一層柔軟に対応することができる。
【００９４】
軒カバー取付部６１０には、軒カバー取付部６１０の延出方向に並列配置される複数の取付部側係合部６１５ａ，ｂ，ｃが設けられ、軒カバー６１１には、複数の取付部側係合部６１５ａ，ｂ，ｃの何れかに係合するカバー側係合部６１１ａが設けられる。これにより、軒カバー６１１の取付位置を調整する機能についてもシンプルな構成で実現できる。
【００９５】
また、本実施形態における太陽光発電屋根１に用いられる太陽光パネル架台４によれば、太陽光発電屋根１と同様の効果が得られる。
【００９６】
なお、本発明は上記実施形態に限定されるものではなく、本発明の目的を達成できる範囲での変形、改良等は本発明に含まれる。
【００９７】
上記第１実施形態においては、棟アタッチメント６２１に棟カバー６２３が直接ビス止めされるものとしたが、本発明はこれに限定されない。以下、上記実施形態と異なる構成を備える別実施形態について説明する。
【００９８】
図９は、第２実施形態に係る太陽光発電屋根２０１の棟側枠材の拡大縦断面図である。例えば、図９に示すように、棟側枠材６２が１つ以上の隙間調整材６２４を更に有するものとして、棟カバー６２３が隙間調整材６２４を介して棟アタッチメント６２１に接続されるようにしてもよい。一般的に、太陽光パネル５の大きさは、商品ごとの規格によって特定の大きさに定められている。一方、屋根の大きさは個々の建物によって変わり、一定ではない。従って、太陽光パネル５と周囲枠の間の隙間の距離は一定ではない。しかし、太陽光パネル５と棟側枠材６２との間に隙間調整材６２４を配置し、更に隙間調整材６２４の枚数や大きさを調整すれば、意匠性や通気路７の通気性を損なうことなく、隙間調整材６２４と周囲枠の間の隙間を埋めることができる。
【００９９】
次に、第３実施形態について説明する。図１０は、第３実施形態に係る太陽光発電屋根３０１の棟側枠材の拡大縦断面図である。第３実施形態では、第２実施形態の隙間調整材６２４とは異なる隙間調整材７２４を備える。それ以外の構成については同様である。図１０に示すように、第３実施形態の隙間調整材７２４の傾斜方向の長さＬ７は、棟カバー６２３の調整可能長さＬ８よりも小さくなるように設定される。
【０１００】
第３実施形態では、太陽光パネル５と棟カバー取付部６２２間に配置される隙間調整材７２４を更に備え、隙間調整材７２４における棟カバー取付部６２２の延出方向の幅が、棟カバー６２３の調整範囲の長さＬ８以下の長さＬ７に設定される。これにより、太陽光パネル５と周囲枠の隙間が大きい場合には隙間調整材７２４の数を増やして隙間を埋めつつ、棟カバー６２３の取付位置を微調整することで、下地材３の様々な寸法に対応することができる。
【０１０１】
次に、第４実施形態について説明する。図１１は、第４実施形態に係る太陽光発電屋根４０１の軒側枠材の拡大縦断面図である。第４実施形態の太陽光発電屋根４０１は、いわゆる下欠け納まりの屋根であり、傾斜方向の長さがケラバ方向の一側と他側で異なる構成となっている。下欠け納まりでは、軒側における下欠け部分とそうでない部分では傾斜方向の長さが異なるため、隙間が生じる。第４実施形態では、この傾斜方向の長さの違いによって生じる隙間を埋めるための隙間調整材８２４が軒側に配置されている。
【０１０２】
図１１に示すように、隙間調整材８２４は、その軒側の端部が軒アタッチメント８２３を介して軒側の横桟４２に連結される。また、隙間調整材８２４における軒アタッチメント８２３に接続される側と反対側の端部は、調整材取付部材８２５を介して棟側の横桟４２に連結される。隙間調整材８２４によって軒側の太陽光パネル５と周囲枠の間の隙間も埋められる。更に、軒カバー６１１の取付位置も調整できるので、現場の状況に柔軟に対応することができる。なお、隙間調整材８２４は、現場の屋根の状況（隙間の大きさ）に応じて複数配置することができる。
【０１０３】
以上説明してきた実施形態では、軒カバー６１１及び棟カバー６２３のいずれにおいても、その取付位置を調整できる構成であるが、軒カバー６１１及び棟カバー６２３の何れかのみを位置調整できる構成としてもよい。
【０１０４】
次に、第５実施形態について説明する。図１２は、第５実施形態に係る太陽光発電屋根５０１の軒側枠材の拡大縦断面図である。第５実施形態は、軒カバー９１１が横桟４２に直接的に連結されている。第５実施形態では、隙間調整材８２４によって軒側の太陽光パネル５と周囲枠の間の隙間を埋めている。以上説明した第５実施形態のように、棟側では棟カバー６２３及び隙間調整材６２４で隙間の調整を行って、軒側では隙間調整材８２４によって隙間を埋める構成とすることもできる。
【０１０５】
また、第５実施形態で第４実施形態から軒カバー６１１の取付位置の調整を行うための構成（軒カバー取付部６１０）を省略したのとは反対に、棟カバーの位置調整を行うための構成（棟カバー取付部６２２等）を省略する構成することもできる。
【０１０６】
以上説明してきた実施形態では、片流れ式の太陽光発電屋根に本発明を適用する例について説明したが、片流れ式の屋根に限定されず、切妻式の屋根に適用することも可能である。次に、切妻式屋根に本発明を適用した第６実施形態について説明する。
【０１０７】
図１３は、第６実施形態に係る太陽光発電屋根６０１の棟包み４１１の断面図である。図１１に示すように、第６施形態では、棟包み本体部４１２の両側に脚部４１３が配置され、棟包み本体部４１２と脚部４１３が蝶番４１５により連結されている。
【０１０８】
第６実施形態では、太陽光発電屋根６０１は、その棟側に棟カバー取付部８２０と、該棟カバー取付部８２０に取り付けられる棟カバー８２１と、を備える。棟カバー８２１には、屋根の傾斜方向に複数の棟カバー側係合部８１５ａ，ｂ，ｃ，ｄ，ｅ，ｆが間隔をあけて形成されている。棟カバー取付部８２０には、複数の棟カバー側係合部８１５ａ，ｂ，ｃ，ｄ，ｅ，ｆのうちの何れかに係合する取付部側係合部８２１ａが棟側の端部に形成される。このように、第４実施形態においても、複数の棟カバー側係合部８１５ａ，ｂ，ｃ，ｄ，ｅ，ｆのうち、いずれの棟カバー側係合部８１５に取付部側係合部８２１ａを係合するかによって棟カバー８２１の取付位置を調整することができる。
【０１０９】
また、上記実施形態は、更に以下のように適宜変更することもできる。上記第１実施形態の棟側では、棟カバー６２３に複数の位置決め部としての棟カバー側係合部６２５ａ，ｂ，ｃが形成される構成であるが、棟カバー取付部側に、複数の位置決め部を形成し、棟カバー側に係合部を形成するように構成することもできる。また、上記実施形態の軒側では、軒カバー取付部６１０側に複数の取付部側係合部６１５ａ，ｂ，ｃが形成される構成であるが、軒カバー側に位置決め部を形成し、軒カバー取付部側に係合部を形成する構成としてもよい。
【０１１０】
また、第４実施形態の隙間調整材８２４の延出方向の幅を軒カバー６１１の調整範囲の長さ以下の長さに設定することもできる。即ち、この第４実施形態の変形例では、太陽光パネル５と軒カバー取付部６１０の間に配置される隙間調整材を更に備え、隙間調整材における棟カバー取付部６２２の延出方向の幅が、棟カバー６２３の調整範囲の長さ以下の長さに設定されることになる。ここでいう調整範囲は取付部側係合部６１５ａ，ｂ，ｃによって軒カバー６１１の取付位置を調整できる範囲のことを意味する。これにより、軒側においても屋根の形状及び下地材の様々な寸法に柔軟に対応することができる。
【０１１１】
以上、説明したように本発明の太陽光発電屋根は、種々の形式の屋根に用いることができる。例えば、太陽光パネルと屋根材が張り分けられる形式の太陽光発電屋根においても本発明を適用できる。
【符号の説明】
【０１１２】
１，２０１，３０１，４０１，５０１，６０１  太陽光発電屋根
３  下地材
４  太陽光パネル架台（架台）
５  太陽光パネル
４０  架台本体
４１  縦桟
４２  横桟
６１０  軒カバー取付部
６１１  軒カバー
６２２  棟カバー取付部
６２３  棟カバー
８２０  棟カバー取付部
８２１  棟カバー
【図１】
2017115353.tif 000003
【図２】
2017115353.tif 000004
【図３】
2017115353.tif 000005
【図４】
2017115353.tif 000006
【図５】
2017115353.tif 000007
【図６】
2017115353.tif 000008
【図７】
2017115353.tif 000009
【図８】
2017115353.tif 000010
【図９】
2017115353.tif 000011
【図１０】
2017115353.tif 000012
【図１１】
2017115353.tif 000013
【図１２】
2017115353.tif 000014
【図１３】
2017115353.tif 000015